(57)【要約】【課題】  リール駆動用モータ出力軸へのリール取り付け個所における重心の不均衡に起因するリールの回転ブレをなくし、安定したリール回転動作を行うことができるリール装置及びそのリール装置を用いた遊技機を提供することを目的とする。【解決手段】外周部に図柄表示部を有したリールと、リール駆動用モータからなり、前記モータの出力軸の先端部を、前記リールの中心部に設けた穴部に挿着してなるスロットマシン等に使用するリール装置であって、前記モータの出力軸を挿通させて回転安定部材を取り付けることによって、リール取り付け個所における重心の不均衡によって発生する該出力軸の微小な軸振れを、前記回転安定部材に防止させ、回転ブレのないリール回転を行うことができ、遊技者に好適な図柄視認性を与えるスロットマシンなどを提供することができる。【選択図】  図５
2005192929.tif 000002
【特許請求の範囲】
【請求項１】
外周部に図柄表示部を有したリールと、リール駆動用モータからなり、前記モータの出力軸の先端部を、前記リールの中心部に設けた穴部に挿着してなる可変表示用リール装置であって、
前記モータの出力軸を挿通させて取り付けた回転安定部材を備えてなることを特徴とするリール装置。
【請求項２】
少なくとも前記モータの出力軸の先端部を断面非円形状に切り欠き形成し、かつ前記穴部の断面を前記断面非円形状と同一形状にした請求項１記載のリール装置。
【請求項３】
前記回転安定部材が円板形状を有する請求項１又は２記載のリール装置。
【請求項４】
前記回転安定部材が弾性材からなる請求項１〜３のいずれかに記載のリール装置。
【請求項５】
前記モータがステッピングモータからなる請求項１〜４のいずれかに記載のリール装置。
【請求項６】
請求項１〜５のいずれかに記載のリール装置を複数個、筐体の前面側に形成された表示窓部に臨むように配置した遊技機であって、遊技者の始動操作に基づいて前記モータを作動させて各リールを回転させた後、遊技者の停止操作に基づいて、内部抽選結果に応じた停止図柄の組み合わせになるように停止制御する停止制御手段を有することを特徴とする遊技機。
【発明の詳細な説明】
【技術分野】
【０００１】
この発明は、スロットマシンやパチンコ機等の可変表示装置に用いるリ
ール装置及びそのリール装置を用いた遊技機に関する。
【背景技術】
【０００２】
一般に、この種のスロットマシンにおいては、各リール外周に種々の図柄を配置した複数個のリールを用いている。各リールは回転駆動源であるステッピングモータとともにリール装置を構成する。そして、遊技者の始動操作に基づいて各リールをステッピングモータによって回転させてスロットゲームが開始された後、遊技者の停止操作に基づいて各リールを停止させたときの停止図柄の組み合わせによって所定の入賞役が発生する。
【０００３】
ところで、ステッピングモータの駆動によるリール回転制御が円滑に行われるように、リールはステッピングモータの出力軸に直結されている。この直結態様の１つとして、下記特許文献１の特開平１−１２９８６５号公報などに開示されているように、リールの回転中心部にステッピングモータの出力軸を挿入し、リールを保持するリール保持構造がある。
【０００４】
上記リール保持構造の一例を図７に示す。外周部に図柄用リールテープ７４が巻き付けられた樹脂製リール７３の中心部には一体成型されたリール支持用ハブ部７２が設けられている。ハブ部７２の内側には断面略Ｄ字形穴が形成されている。ステッピングモータ７０の出力軸７１の先端部も断面略Ｄ字形状になるように平坦面７６が施されている。図８に示すように、出力軸７１の先端部をハブ部７２の断面略Ｄ字形穴に挿入し、ハブ部７２を軸方向と直交する方向に貫通するビス７５によって緊締することによってビス止めしている。
【０００５】
【特許文献１】特開平１−１２９８６５
【発明の開示】
【発明が解決しようとする課題】
【０００６】
断面丸形状の出力軸を直交方向にビスで直接固定するとモータ回転時に滑ったりしてビス固定が緩んだりするおそれがあるため、図７及び図８に示したように、ステッピングモータ７０の出力軸７１の先端部に平坦面７６を施して断面略Ｄ字形状に加工し、ハブ部７２の同形状の穴に挿入する保持構造とし、出力軸７１の空回りを防止している。しかし、この保持構造においては、出力軸７１の先端部に平坦面７６を切り欠き形成しているため、出力軸７１の軸断面の重心と、回転中心との間にずれ、つまり重心の不均衡が生じることになり、出力軸７１の軸が僅かに振れるという微小振れ現象が起きる。したがって、この微小振れ現象によって出力軸７１が僅かでも振れながら回転すると、出力軸７１の軸径に比べて直径がはるかに大きいリール７３に伝わり、リール７３の回転ブレが生じるという問題があった。すなわち、この回転ブレによって、リールテープ７４に印刷された図柄が揺れながら移動するため、遊技者が図柄を視認しずらくなったり、正常なリール停止操作を妨げたりする不具合を生じる。もちろん、平坦面７６の加工を施さず、上述の断面丸形状の出力軸をビスで直接固定する場合であっても、比較的重さのある金属ビスなどを使用して緊締したときには、重心の不均衡を生じてしまうため、上記の微小振れ現象を同様に生じ、回転ブレの問題が起きる。
【０００７】
この発明は、上記の課題に鑑み、モータ出力軸へのリール取り付け個所における重心の不均衡に起因するリールの回転ブレをなくし、安定したリール回転動作を行うことができるリール装置及びそのリール装置を用いた遊技機を提供することを目的とする。
【課題を解決するための手段】
【０００８】
本発明は前記課題を解決するためになされたものであり、本発明の第１の形態は、外周部に図柄表示部を有したリールと、リール駆動用モータからなり、前記モータの出力軸の先端部を、前記リールの中心部に設けた穴部に挿着してなる可変表示用リール装置であって、前記モータの出力軸を挿通させて取り付けた回転安定部材を備えてなることを特徴とするリール装置である。
【０００９】
本発明の第２の形態は、前記第１の形態において、少なくとも前記モータの出力軸の先端部を断面非円形状に切り欠き形成し、かつ前記穴部の断面を前記断面非円形状と同一形状にしたリール装置である。
【００１０】
本発明の第３の形態は、前記第１又は第２の形態において、前記回転安定部材が円板形状を有するリール装置である。
【００１１】
本発明の第４の形態は、前記第１〜第３のいずれかの形態において、前記回転安定部材が弾性材からなるリール装置である。
【００１２】
本発明の第５の形態は、前記第１〜第４のいずれかの形態において、前記モータがステッピングモータからなるリール装置である。
【００１３】
本発明の第６の形態は、前記第１〜第５のいずれかの形態のリール装置を複数個、筐体の前面側に形成された表示窓部に臨むように配置した遊技機であって、遊技者の始動操作に基づいて前記モータを作動させて各リールを回転させた後、遊技者の停止操作に基づいて、内部抽選結果に応じた停止図柄の組み合わせになるように停止制御する停止制御手段を有する遊技機である。
【発明の効果】
【００１４】
本発明の第１の形態によれば、前記回転安定部材を前記モータの出力軸を挿通させて取り付けているので、モータの出力軸とともに径の大きな回転安定部材が回転することとなる。したがって、出力軸は、回転安定性が大きな回転安定部材と一体的に回転するためリール取り付け個所における重心の不均衡によって発生する該出力軸の微小振れ自体を防止することができる。その結果、リール回転ブレを生じさせることなく、安定したリール回転動作を行うことができる。これによって、本発明にかかるリール装置を用いた遊技機においては、リール回転ブレのない遊技状態で遊技者に図柄の視認性に優れ、かつ円滑なリール遊技動作を提供することができる。なお、本発明にかかる穴部は有底形状、あるいは出力軸先端が貫通する貫通穴形状でもよい。
【００１５】
本発明の第２の形態によれば、前記第１の形態において、少なくとも前記モータの出力軸の先端部を断面非円形状に切り欠き形成し、かつ前記穴部の断面を前記断面非円形状と同一形状にしたので、前記出力軸を空回りしないように前記穴部に嵌着でき、しかも、該切り欠き形成によって生じる重心の不均衡による微小振れ現象に対して、前記回転安定部材による振れ防止作用によりリール回転動作の安定化を図ることができる。なお、該出力軸の先端部の切り欠き形成部分は、少なくとも該穴部に嵌着する部分にあれば十分であり、該穴部以外では重心の不均衡を生じる切り欠き形成を施さないのが好ましい。
【００１６】
本発明の第３の形態によれば、前記第１又は２の形態において、前記回転安定部材が円板形状を有するので、前記回転安定部材を該出力軸に装着しても、前記出力軸の軸を中心に対称となる回転安定部材形状によって、偏心による二次的な軸振れを生じることがなく、安定したリール回転動作を実現することができる。
【００１７】
本発明の第４の形態によれば、前記第１〜第３のいずれかの形態において、前記回転安定部材が弾性材からなるので、ビスなど他の部材を用いることなくこれをモータの出力軸に固定することができる。したがって、回転安定部材自体の回転安定性が損なわれることがない。また、前記回転安定部材を装着しても該出力軸への重量負荷を回避できるため、低トルクのモータを使用でき、高トルクのモータ使用によるコストアップを生じない。また、該弾性材にはゴムや合成樹脂を使用し、該出力軸への装着作業の点でも簡便性に優れる。
【００１８】
本発明の第５の形態によれば、前記第１〜第４のいずれかの形態において、微妙なリール停止制御が可能で、遊技機に好適なステッピングモータをリール駆動用モータに使用することによって、特に低トルクモータを使用した場合に、リール取り付け個所における重心の不均衡によって発生する該出力軸の微小振れの影響を受けやすくなっても、前記回転安定部材に軸振れを防止させることができ、安定したリール回転動作を維持することができる。
【００１９】
本発明の第６の形態によれば、前記第１〜第５のいずれかの形態のリール装置を複数個、筐体の前面側に形成された表示窓部に臨むように配置した遊技機であって、遊技者の始動操作に基づいて前記モータを作動させて各リールを回転させた後、遊技者の停止操作に基づいて、内部抽選結果に応じた停止図柄の組み合わせになるように停止制御する停止制御手段を有する遊技機、例えば、遊技者の停止操作による技術介入性を伴うスロットマシンを構成できるため、前記回転安定部材による該出力軸の微小軸振れを防止させることによって、リール回転ブレを生じさせず、遊技者が安定した図柄移動を視認できる、良好なスロット遊技性を備えた遊技機を提供することができる。なお、本発明はリールを図柄可変表示装置に使用するパチンコ機などにも適用できる。
【発明を実施するための最良の形態】
【００２０】
以下、本発明を適用したスロットマシンの実施形態について、図面を参照して説明する。図１は本実施形態によるスロットマシン１の外観正面図である。また、図２はスロットマシン１の内部構成を示す外観斜視図である。
【００２１】
前扉２は正面側が開口した筐体９に対してヒンジによって開閉可能に取り付けられており、その中央の正面パネル１０にはリール表示窓３、４、５が並設され、各窓に対応して筐体９内部に３個のリール６、７、８が並置されている。各リールの外周面にはボーナス図柄やチェリー、ベル、スイカといった小役図柄、およびリプレイ図柄の複数種類の図柄が等間隔に２１個描かれたリールテープ８７（図５参照）が巻き付けられている。これらの図柄はリール表示窓３〜５の各窓を通してそれぞれ３個ずつ観察される。各リールはそれぞれ後述のステッピングモータ５６〜５８によって駆動され、各リールとその駆動用ステッピングモータが本発明にかかるリール装置を構成する。リール表示窓３〜５には、中央と上下の横３本および斜め右下がりと右上がりの斜め２本の計５本の入賞ラインＬ１〜Ｌ５が印刷によって施されている。また、正面パネル１０の下方には遊技操作部が配置され、この操作部にはメダル投入口１１、投入メダル数を予め記憶したクレジットデータから３枚分のメダル賭け（ベット）を設定するためのマックスベットスイッチ１２、同様に１枚ベットの設定を行うためのベットスイッチ１７、リール回転の始動を指示する始動レバースイッチ１３、リール回転の停止を指示入力するための停止ボタンスイッチ１４〜１６が設けられている。
【００２２】
また、前扉２上部には遊技関連情報を表示する遊技関連情報表示部２１が設けられている。遊技関連情報表示部２１は液晶表示装置からなり、ボーナス入賞表示、ボーナスゲーム消化の実行回数、同獲得メダル数、乱数抽選による当選フラグ（ボーナスフラグ、小役フラグなど）の告知演出、後述の当選役報知モード遊技表示、スランプグラフ、図柄配列、リーチ目などを液晶画面上で表示し、かつ遊技者が遊技していない未遊技状態のときの集客用デモ表示を遊技機機種名、遊技内容の説明、配当表とともに繰り返し行う。そして、この遊技関連情報表示部２１による告知演出等の遊技補助表示は当選時だけでなく外れのときにも１回の遊技毎に一定の確率に基づいた抽選によって決定される。なお、スランプグラフ、図柄配列、リーチ目などの表示は遊技者による特定のボタン操作（停止ボタンスイッチなどの兼用かあるいは図示しない専用ボタン）に基づいて適宜表示を切り替え可能になっている。また、遊技関連情報表示部２１に用いる表示装置は、液晶の他に，例えば、７セグメントＬＥＤ、ドットマトリクス、ＥＬ（エレクトロルミネッセンス）表示装置、補助演出用リール装置、機械的役物装置などである。
【００２３】
前扉２の下部には下部パネル２０が取り付けられており、このパネルには機種名およびイメージデザインが印刷されている。さらに、下部パネル２１の下には、メダル受け皿１９と、筐体９内のメダルホッパ２６から払出されたメダルをメダル受け皿１９に放出するメダル放出口１８が設けられている。なお、リール６、７、８の内側にはリールバックライト２７が設けられている。
【００２４】
次に、本実施形態のスロットマシン１における遊技処理動作を制御する遊技制御部と、これに電気的に接続された周辺装置とを含む構成を図３を参照して説明する。
【００２５】
遊技制御部４０はマイクロコンピュータからなり、予め設定されたプログラムに従って制御動作を行うＣＰＵ２３と、該プログラムの記憶手段であるＲＯＭ２４およびワーキングエリアとしてのＲＡＭ２５を含む。ＲＯＭ２４にはゲーム制御プログラムおよびリール６、７、８の停止制御テーブルが格納されている。ＣＰＵ２３には、基準クロックパルスを発生するクロックパルス発生部（図示せず）と、遊技抽選に用いる乱数を発生させ、発生した乱数の中から任意の乱数を抽出する乱数発生部（図示せず）とが接続されている。１回のゲームにつきメダルベットまたはメダル投入を条件とし、かつ始動レバースイッチ１３オンを契機として上記乱数発生部による乱数抽選が行われる。そして、リール６〜８の回転を停止ボタンスイッチ１４〜１６操作によって停止させたとき、当選図柄がリール表示窓３〜５内の入賞ライン上Ｌ１〜Ｌ５のいずれかに停止し、特定の表示内容となったとき入賞となり賞メダルの払出やボーナスゲームなどの特別遊技状態に移行する。ＣＰＵ２３の制御の下で動作制御される制御対象として、リール６〜８を回転駆動する各ステッピングモータ５６〜５８、メダルを収納、放出するメダルホッパ２６、スピーカ３７、リールバックライト２７、装飾ランプなどの各種ランプ３９及び遊技関連情報表示部（液晶表示装置）２１があり、これらはそれぞれモータ駆動回路４１、ホッパ駆動回路４２、スピーカ駆動回路４５、リールバックライト駆動回路４３、各種ランプ駆動回路４６および表示制御サブ基板３５によって駆動制御される。これらの駆動回路及び表示制御サブ基板３５はマイコンＩ／Ｏポートを介してＣＰＵ２３に接続されている。表示制御サブ基板３５はＣＰＵ２３の指令を受けて遊技関連情報表示部２１による遊技補助表示等の遊技関連情報を適宜表示制御するサブＣＰＵを有する。なお、スピーカ駆動回路４５、リールバックライト駆動回路４３、各種ランプ駆動回路４６などの周辺駆動回路も表示制御サブ基板３５の管理下で制御するようにしてもよい。
【００２６】
また、ＣＰＵ２３には、マイコンＩ／Ｏポートを介して、始動レバースイッチ１３と、メダル投入口１１から投入されたメダルを検知する投入メダル検知センサ（図示せず）が接続され、それぞれリール回転始動信号、メダル投入信号が入力される。また、各リール６〜８のそれぞれの回転基準位置を検出するための、ホトセンサからなるリール回転基準位置検知センサ４１ａ、４１ｂ、４１ｃによる各リールの回転基準位置検出に基づいてリール回転位置を検出するリール位置検出回路４４の回転位置検出信号や、停止ボタンスイッチ１４〜１６の停止信号を検出するリール停止信号回路４７による停止検出信号も入力される。この回転位置検出信号によって、各リールの図柄の位置を認識させ、当選図柄が入賞ライン上に並ぶように引き込む、いわゆる引き込み制御が可能となる。このように、上記回転基準位置検出とＲＯＭ２４のリール停止制御テーブルに基づいてリール停止制御を行うＣＰＵ２３によって、本発明にかかる停止制御手段が構成される。また、この基準位置検出を基にステッピングモータ５６〜５８のリール回転制御が、モータ駆動回路４１によって行われ、遊技中はリール回転速度が一定速度（約８０rpm）に維持される。さらに、図１に示すように、上記遊技操作部の左手前にはクレジット／精算切替スイッチ２８が設けられており、クレジット／精算切替スイッチ２８によるクレジットモード設定時には正面パネル１０の下辺に設けたクレジット数表示部２９にクレジットメダル数が表示され、メダル投入口１１へのメダル投入に代え、ベットスイッチ１２、１７の押下操作により、１回のゲームに１〜３枚のメダルベットが行うことができる。そして、クレジットモード設定時にクレジット／精算切替スイッチ２８を押下すると、クレジットメダルの精算・払出が行われ、メダル投入口１１からのマニュアル投入モードとなり、さらにもう一度押下するとクレジットモードに切り換えることができる。このようなモード設定信号をＣＰＵ２３に入力するためにクレジット／精算切替スイッチ２８も遊技制御部４０に接続されている。また、ホッパ２６のメダル排出位置に設けたメダル排出センサ（図示せず）による払出メダル検知信号を受けて所定数の賞メダルの排出完了を判定するメダル排出完了信号処理回路４８の排出完了信号も遊技制御部４０に入力されている。上記構成の遊技制御部において、各種検知センサ等の外部入力手段および表示制御サブ基板３５を除く、ＣＰＵ２３他の主要な制御部を実装したメイン基板は、制御ボックスケース６０に格納され、さらに該ケースは図２に示すように筐体６の内部背面に据え付けられている。
【００２７】
上記構成の本実施形態のスロットマシン１における主な遊技処理は以下のようにして行われる。
【００２８】
まず、メダル投入口１１からのメダル投入又は、ベットスイッチ１２、１７によるベット操作によるメダル受け入れ処理を行い、ついで、始動レバースイッチ１３による始動操作による遊技開始操作処理が行われた後に、通常遊技処理、ボーナス入賞時のボーナス遊技処理、又は当選役報知モード遊技処理が行われる。当選役報知モード遊技は、抽選によって当選した小役などの種類を遊技開始とともに報知するアシストモードである。各遊技処理においては、遊技開始操作に伴い抽選処理が実行されるとともにリール回転動作が行われる。そして、遊技者の停止ボタンスイッチ１４〜１６による停止操作タイミングと抽選結果に応じて、ＲＯＭ２４のリール停止制御テーブルを参照してリール停止制御が行われる。
【００２９】
次に、本発明にかかるリール装置の構成を図４〜図６を参照して説明する。
【００３０】
図４はリール装置の分解斜視図である。各リール６〜８は、一対の樹脂製リング部材８０、８１を複数本の連結部材８２よってドラム状に組まれた枠体の外周部にリールテープ８７を巻き付けて形成されている。リールテープ８７は半透明のＰＥＴシートなどの素材からなり、リールテープ面には図柄が印刷等によって施されている。テープ面に施される各図柄は透光性インクで印刷され、かつ図柄周囲は遮光印刷が形成されている。このような透光性図柄は、リールバックライト２７からの光を受け、図柄部分のみを発光視認可能としている。そして、片方のリング部材８１は中心部から放射状に伸びた４本の支持部材８５によって中心部と連結されている。該中心部には、ステッピングモータ５６〜５８の出力軸を固定保持するためのハブ部８３が形成されている。リング部材８１、支持部材８５及びハブ部８３は樹脂で一体成型加工され、組み立て作業の簡略化と軽量化が図られている。
【００３１】
ステッピングモータ５６〜５８は、リールバックライト２７とともにモータ固定板１００に取り付けられる。モータ固定板１００には、リール回転基準位置検知センサ４１ａ、４１ｂ、４１ｃ搭載基板１０２も取り付けられている。リール回転基準位置検知センサ４１ａ、４１ｂ、４１ｃはホトセンサからなり、これを感知動作させるための遮光片はいずれか１本の支持部材８５に形成されている。リールバックライト２７は各リールごとに、各々３図柄分を別々に照明する白色ＬＥＤや、豆ランプなどの光源を含む。そして、リールバックライト２７は各光源を収納するための、区画された箱型ライトケース１０１ａ〜１０１ｃを有する。各光源の箱型ライトケース１０１ａ〜１０１ｃは各リール別に、入賞ラインＬ１〜Ｌ３のいずれかに対応して配置され、各々の入賞ラインを横切る図柄を個別に照明可能に設けられている。
【００３２】
ステッピングモータ５６〜５８は、図５及び図６に示すように、それぞれ、断面丸形状の出力軸９０を有する。出力軸９０の先端部は切り欠きけ形成によって平坦面９１が施され、断面略Ｄ字形状に加工されている。一方、ハブ部８３は出力軸９０の先端部を収納保持するために、同形状の断面略Ｄ字形状に加工された穴部８４を有する。このような同形加工により、出力軸９０の先端部を穴部８４に挿入して嵌着する出力軸保持構造とし、軸と直交方向にビス８８で固定して出力軸９０の空回りを防止している。そして、出力軸９０のモータ側の断面丸形状根幹部９３には円板状回転安定部材９２が外嵌されている。回転安定部材９２は中空円板形状の合成ゴムからなり、出力軸９０の軸径より少し小さい中空部に出力軸９０に挿入して挿着される。回転安定部材９２をゴム製とすることによって、弾性を帯びさせ、ビスなど他の部材を用いることなくこれをモータの出力軸９０に固定することができる。したがって、回転安定部材９２自体の回転安定性が損なわれることがない。回転安定性部材９２は、合成ゴムに限らず、同様の性質を備える合成樹脂などを使用してもよい。また、アルミニウムなどの金属材を回転安定部材９２に使用してもよいが、この場合出力軸９０に圧入して取り付けることが好ましい。
【００３３】
以上の構成からなるリール装置において、回転安定部材９２を出力軸９０の根幹部９３に挿着しているため、当該出力軸９０とともに径の大きな回転安定部材９２が回転することとなる、すなわち、当該出力軸９０は回転安定性が大きな回転安定部材９２と一体的に回転するためリール取り付け個所における平坦面９１を切り欠き形成した出力軸保持構造に起因して発生する重心の不均衡に基づく軸振れ自体を防止することができる。その結果、リール回転ブレを生じさせることなく、安定したリール回転動作を行うことができる。従って、本実施形態にかかるスロットマシン１においては、回転安定部材９２によるモータ軸振れの防止作用が働くため、遊技者が安定した図柄移動を視認でき、いわゆる目押しと称される停止操作の妨げとなるリールの回転ブレを生じさせずに、常に良好なスロット遊技動作を提供することができる。
【００３４】
なお、本発明にかかるリール装置は上記実施形態に限定されるものではなく、本発明の要旨を逸脱しない範囲で種々変更することができる。
【産業上の利用可能性】
【００３５】
以上から明らかなように、本発明によれば、リール取り付け個所における重心の不均衡によって発生する該出力軸の微小な軸振れを、リール駆動用モータの出力軸を挿通させて取り付けた回転安定部材により防止させることができるため、リール回転ブレを生じさせることなく、安定したリール回転動作を行うことができ、スロットマシンなどの遊技機において、リール回転ブレのない遊技状態で遊技者に図柄の視認性に優れ、かつ円滑なリール遊技動作を提供することができる。
【図面の簡単な説明】
【００３６】
【図１】本発明の実施形態であるスロットマシン１の外観正面図である。
【図２】スロットマシン１の内部構成を示す外観斜視図である。
【図３】スロットマシン１の遊技制御部の主要構成を示すブロック図である。
【図４】スロットマシン１に用いたリール装置の分解斜視図である。
【図５】図４のリール装置におけるリール保持構造を示す概略部分断面図である。
【図６】図５のＢ−Ｂ断面図である。
【図７】従来のリール保持構造を示す概略部分断面図である。
【図８】図７のＡ−Ａ断面図である。
【符号の説明】
【００３７】
６、７、８・・・リール
５６、５７、５８・・・ステッピングモータ
８３・・・ボス部
８４・・・穴部
９０・・・出力軸
９１・・・平坦面
９２・・・回転安定部材
【図１】
2005192929.tif 000003
【図２】
2005192929.tif 000004
【図３】
2005192929.tif 000005
【図４】
2005192929.tif 000006
【図５】
2005192929.tif 000007
【図６】
2005192929.tif 000008
【図７】
2005192929.tif 000009
【図８】
2005192929.tif 000010